(57)【要約】【課題】装飾部材と反射部材とを備えた表示板において、色の多彩な表現が施されたものとする。【解決手段】文字板１００（表示板の一例）は、複数の繊維状の遮光部２１及び複数の遮光部２１の間に形成された透光部２２を有するシート状の和紙２０（装飾部材）と、和紙２０の裏面２６側に配置されて、入射した光の少なくとも一部を反射する反射板３０と、を有し、反射板３０の表面３１にグラデーション３５が形成されている。【選択図】図２
2020134271.tif 000002
【特許請求の範囲】
【請求項１】
複数の繊維状の遮光部及び複数の前記遮光部の間に形成された透光部を有するシート状の装飾部材と、
前記装飾部材の背面側に配置されて、入射した光の少なくとも一部を反射するシート状の反射部材と、を有し、
前記反射部材の表面にグラデーション又は模様を形成した表示板。
【請求項２】
前記グラデーション又は前記模様は、インクジェット印刷で形成されている請求項１に記載の表示板。
【請求項３】
前記装飾部材は、前記反射部材における視認側の表面に、接着剤により接着されて配置されている請求項１又は２に記載の表示板。
【請求項４】
前記装飾部材は和紙である請求項１から３のうちいずれか１項に記載の表示板。
【請求項５】
前記反射部材は、視認側から入射した光又は電波の少なくとも一部を透過させる特性を有する請求項１から４のうちいずれか１項に記載の表示板。
【請求項６】
請求項１から５のうちいずれか１項に記載の表示板を文字板として搭載した時計。
【発明の詳細な説明】
【技術分野】
【０００１】
本発明は表示板とこの表示板を備えた時計に関する。
【背景技術】
【０００２】
例えば時計に用いられる文字板等の表示板には、様々な装飾が施されることがある。この装飾として例えば和紙を用いた表示板が提案されている（例えば、特許文献１参照）。特許文献１に記載された表示板は、和紙等の装飾部材と、その背面側に配置されて光を反射する反射部材とを有している。
【先行技術文献】
【特許文献】
【０００３】
【特許文献１】特開２０１８−１１９８０７号公報
【発明の概要】
【発明が解決しようとする課題】
【０００４】
特許文献１に記載された表示板は、基本的には、装飾部材そのものの素材色であるが、必要に応じて、装飾部材や反射部材を単一色で均一に着色したものも開示されている。
【０００５】
しかし、上述した着色は、表示板全体を均一に着色したものにとどまり、多様な色の表現が望まれている。
【０００６】
本発明はこのような事情に鑑みなされたものであって、装飾部材と反射部材とを備え、色の多彩な表現が施された表示板及びこの表示板を備えた時計を提供することを目的とする。
【課題を解決するための手段】
【０００７】
本発明の第１は、複数の繊維状の遮光部及び複数の前記遮光部の間に形成された透光部を有するシート状の装飾部材と、前記装飾部材の背面側に配置されて、入射した光の少なくとも一部を反射するシート状の反射部材と、を有し、前記反射部材の表面にグラデーション又は模様を形成した表示板である。
【０００８】
本発明の第２は、本発明に係る表示板を文字板として搭載した時計である。
【発明の効果】
【０００９】
本発明に係る表示板及びこの表示板を備えた時計によれば、装飾部材と反射部材とを備え、多彩な色の表現を行うことができる。
【図面の簡単な説明】
【００１０】
【図１】本発明に係る表示板の一実施形態である文字板を示す平面図である。
【図２】図１に示した文字板の模式的な断面図である。
【図３】図２に示した文字板における和紙を示す平面図である。
【図４】図２に示した文字板における反射板を示す平面図である。
【図５】反射板の表面に、実施形態のグラデーションに代えて同じ大きさの複数の水玉模様が形成された変形例１を示す図４相当の平面図である。
【図６】反射板の表面に、実施形態のグラデーションに代えて大きさの異なる複数の水玉模様が形成された変形例２を示す図４相当の平面図である。
【図７】反射板の表面に、実施形態のグラデーションに代えて複数の格子模様を構成する複数の同じ太さの縦の線及び複数の同じ太さの横の線が形成された変形例３を示す図４相当の平面図である。
【図８】反射板の表面に、実施形態のグラデーションに代えて複数の格子模様を構成する複数の同じ太さの縦の線及び複数の太さの異なる横の線が複数形成された変形例４を示す図４相当の平面図である。
【発明を実施するための形態】
【００１１】
以下、本発明に係る表示板及びこの表示板の文字盤として備えた時計の実施形態について、図面を参照して説明する。図１は本発明に係る表示板の一実施形態である文字板１００を示す平面図、図２は図１に示した文字板１００の模式的な断面図、図３は図２に示した文字板１００における和紙２０を示す平面図、図４は図２に示した文字板１００における反射板３０を示す平面図である。
【００１２】
＜構成＞
本実施形態の時計の文字板１００は、図１に示すように、その上面１００ａに、インデックスバー７０や目盛り８０が設けられている。インデックスバー７０は、時計の時針（図示省略）が指し示す「時」を表す指標である。目盛り８０は、時計の分針（図示省略）が指し示す「分」を表す指標である。
【００１３】
文字板１００は、図２に示すように、文字板１００に対して直交する方向の外部から文字板１００を見たとき（平面視）の視線の向きの上流側である視認側から順に、透明上板１０、和紙２０（装飾部材の一例）、反射板３０（反射部材の一例）が重ねられて構成されている。
【００１４】
なお、文字板１００の中心部には、時計の時針や分針等の軸を通すための中心孔１０３や時計の日板に表示された日付の数字を露出させる矩形の開口１０４が形成されている。
【００１５】
透明上板１０は、無色透明又は有色透明のシート状の樹脂であり、視認側の表面１１及び背面となる裏面１２がともに平滑な面に形成されている。透明上板１０は、可視光領域の光を透過させる光透過性を有している。なお、本発明に係る表示板は、透明上板１０を備えるものに限定されず、透明上板１０を備えない構成であってもよい。
【００１６】
和紙２０は、繊維又は繊維の束（複数の繊維状に形成されているもの。以下、繊維及び繊維束を繊維等と総称する。）が互いに不規則な向きに並んで、その厚さ方向（視線の向きに沿った方向）に積み重なった、厚さが例えば数十［μｍ］のシート状に形成されている。
【００１７】
ここで、繊維等は例えば植物の繊維等で形成されていて、可視光領域の光に対して不透明である。したがって、和紙２０の繊維等は、図３に示すように、平面視において繊維状の遮光部２１となる。
【００１８】
また、和紙２０の繊維等は、上述したように不規則に絡み合っているが、繊維等の間の隙間の部分は、平面視において可視光領域の光を通す透光部２２を形成している。
【００１９】
そして、和紙２０は、これら繊維等である遮光部２１と隙間である透光部２２とによって、平面視において微細な模様を形成している。ここで、微細とは、例えば１［ｍｍ］以下の大きさで、かつ肉眼で模様と識別し得る大きさ以上の寸法範囲である。和紙２０は、上述した微細な模様を有することで、時計を装飾する装飾部材の一例となる。
【００２０】
なお、和紙２０にも、文字板１００の中心孔１０３に対応した中心孔及び開口１０４に対応した開口が形成されているが、図示では省略している。
【００２１】
反射板３０は、厚さが例えば１５０［μｍ］のシート状に形成され、視線の側から、和紙２０の透光部２２などを通って入射した可視光領域の光の少なくとも一部（全部であってもよい）を反射する機能を有している。反射板３０は、視認側の表面３１及び背面となる裏面３２がともに平滑な面に形成されている。反射板３０は、入射した光の一部を表面３１で反射する一方、一部の光を内部に透過させて背面である裏面３２から外部に出射する特性を有する。
【００２２】
反射板３０は、例えば、屈折率の異なるナノメートルのオーダーの層厚の樹脂による数百以上の層数の積層構造で形成されたものである。この反射板３０は、表面３１が鏡面に形成されて一部の光を反射するとともに、屈折率の異なる積層樹脂のそれぞれの境界面で光を反射することにより、樹脂でありながら金属調の光沢を有している。そして、金属の蒸着膜を用いていないため、電波の透過性が良好という特性を有している。
【００２３】
反射板３０の表面３１には、例えば、図４に示すように、グラデーション３５が形成されている。図４に示したグラデーション３５は、最外周から中心に向かう半径方向に沿って、特定の色相の色の明度が連続的に明るくなるように変化したグラデーションである。なお、グラデーション３５は、どのような向きに向かって明度が変化するものであってもよく、また、グラデーション３５は、明度が連続的に変化するものではなく、不連続に、すなわち段階的に明度が変化するものであってもよい。
【００２４】
また、グラデーション３５は、暗い側から明るい側に向かって一律に変化するものでなくてもよく、暗い側から明るい側に変化し、さらに暗い側に変化するグラデーションであってもよい。また、グラデーション３５は、単一の色の明度の変化によるグラデーションに限らず、特定の色相の色が他の色相の色に、色相が連続的に変化するグラデーションであってもよいし、彩度が変化するグラデーションであってもよい。
【００２５】
なお、反射板３０にも、文字板１００の中心孔１０３に対応した中心孔３３及び開口１０４に対応した開口３４が形成されている。
【００２６】
文字板１００は、反射板３０が光透過性を有することにより、外部（視認側）から文字板１００に入射した光の少なくとも一部を反射板３０の裏面３２に導いて透過させることができる。また、文字板１００は、反射板３０の背面側の光を反射板３０の表面３１に導いて視認側に出射させることもできる。文字板１００は、例えば透過率が１５［％］以上である。
【００２７】
本実施形態における時計は、反射板３０の背面側に、例えば、照射された光により発電するソーラセル５０を備えているため、外部から文字板１００に入射した光が反射板３０を透過してソーラセル５０に照射することができ、ソーラセル５０が発電した電気を利用して時計を駆動することができる。
【００２８】
また、時計がソーラセル５０を有しなくても、例えば、反射板３０の背面側にＬＥＤ等の照明機器を配置したものでは、反射板３０の背面側から視認側の表面３１から視認側に向けて光を出射させることができる。なお、反射板３０の背面側にソーラセル５０や照明機器を有しない時計に用いられる場合は、反射板３０の背面側に光を透過する必要がないため、文字板の１００の反射板３０は光透過性を有しなくてもよい。
【００２９】
ここで、和紙２０は、反射板３０の表面３１上に配置されている。具体的には、反射板３０の表面３１に塗布された接着剤４０によって、和紙２０の、視線の向きの背面側となる裏面２６が反射板３０の表面３１に接着されている。
【００３０】
接着剤４０は、その厚さが和紙２０の厚さ（視認側の表面２５から裏面２６までの寸法）よりも薄い状態となっている。そして、和紙２０の表面２５は、接着剤４０が含浸していない非接着領域となっている。
【００３１】
なお、反射板３０の表面３１に接着剤４０が塗布されていることで、和紙２０の裏面２６と反射板３０の表面３１との間には接着剤４０の層が形成されて、和紙２０の裏面２６と反射板３０の表面３１とは物理的には厳密に直接接していない部分も存在するが、技術的には接していると同視することができ、和紙２０が反射板３０の表面３１上に配置されていると解することができる。
【００３２】
和紙２０は、裏面２６の少なくとも一部が反射板３０の表面３１と接するまで反射板３０に近接して配置されるのが好ましい。この場合、和紙２０の遮光部２１を反射面（反射板３０の表面３１）に最も近づけることができ、遮光部２１の、反射面による反射像を視認させ難くすることができる。
【００３３】
なお、図２においては、和紙２０の裏面２６が反射板３０の表面３１に接していない記載となっているが、これは接着剤４０を視認し易くするための便宜に過ぎず、図面の表現として、上述したように、和紙２０の裏面２６が反射板３０の表面３１に接して表現してもよいし又は接しないように表現してもよい。
【００３４】
接着剤４０は、例えば、ホットメルト接着剤である。ホットメルト接着剤は、摂氏８０〜１００［度］の熱をかけることで融かして接着させる接着剤である。ホットメルト接着剤は、エチレン酢酸ビニルのような熱可塑性プラスチックなどの材料で形成されている。ホットメルト接着剤は、温度を降下させることで固めることができるため、和紙２０に浸透する程度を制御するのに適している。
【００３５】
和紙２０よりも視認側に配置された透明上板１０は、その裏面１２が和紙２０の表面２５に密着している。なお、透明上板１０を和紙２０に密着させている構造は、例えば、時計として組み立てられた状態で、時計のケースとムーブメントとによって、透明上板１０と和紙２０及び反射板３０とが挟まれた状態とした構造である。
【００３６】
つまり、文字板１００のうち、接着剤４０によって一体化された和紙２０と反射板３０とが、時計のムーブメントの上面に配置され、和紙２０の表面２５上に透明上板１０が配置した状態とする。その後、これらを時計のケースの裏蓋側の開口からケースの内部に挿入し、開口を裏蓋で封鎖した状態とすることにより、文字板１００は厚さ方向に、ケースとムーブメントとによって挟まれた状態となる。これにより、透明上板１０の裏面１２と和紙２０の表面２５とを密着させた状態とすることができる。
【００３７】
＜作用、効果＞
以上のように構成された本実施形態の文字板１００によれば、透明上板１０、和紙２０及び接着剤４０を通して、視認側から反射板３０に入射した光の一部は、前述した通り視認側に反射するが、この視認側に反射する反射光は、反射板３０の表面３１に形成されたグラデーション３５を担った（依存した輝度分布の）反射光となる。
【００３８】
したがって、その反射光は、グラデーション３５に応じて、空間的に明度が連続的に変化した光、具体的には、円環の外側から内側に向かって徐々に明度が高くなる分布の光となり、その一部は、和紙２０の遮光部２１で遮光され、また、他の一部は透光部２２を通って透明上板１０を透過して視認側に出射される。
【００３９】
この結果、視認側でその反射光を見た観者に対し、円環の外側から内側に向かって徐々に明度が高くなる分布の光を視認させることができる。このとき、文字板１００は、和紙２０を通した反射光を観者に視認させるため、和紙２０を通さない反射光に比べて、和紙２０を通した柔らかな印象の反射光を視認させることができる。  
【００４０】
これにより、本実施形態の文字板１００は、色の多彩な表現（本実施形態では、空間的に明度が異なる表現の反射光）を観者に視認させることができる。
【００４１】
本実施形態の文字板１００は、グラデーション３５を、反射板３０の表面３１に、例えば、インクジェット印刷によって形成した。インクジェット印刷は、インクの粒を印刷対象物（本例では反射板３０の表面３１）に付着させることで印刷を行うが、例えば、スクリーン印刷により網目状又は点状に印刷した場合に比べて、滑らかな階調を表現することができる。
【００４２】
なお、インクジェット印刷のインクの粒も粒状感を与えることはあるが、本実施形態の文字板１００は、反射光が和紙２０を通ることで、インクの粒の粒状感が緩和され、粒状感を与えることによって招きうる印刷品位の低下を防止することができる。
【００４３】
また、本実施形態の文字板１００は、和紙２０にグラデーションを直接施した場合と比べて、和紙２０の風合いを損なうことがない。すなわち、和紙２０にインクでグラデーションを直接付した場合、和紙２０の間にインクが入り込み、和紙２０の風合いを損ねる。しかし、本実施形態の文字板１００は、和紙２０にインクが付されないため、和紙２０が濡れることがなく、和紙２０の風合いが損ねられない。
【００４４】
また、本実施形態の文字板１００は、透明上板１０にグラデーションを施した場合と比べて、和紙２０の質感を低下させることがない。すなわち、透明上板１０にグラデーションを形成した場合、和紙２０の遮光部２１及び透光部２２を通したグラデーションに比べて単調な平板的な印象を観者に与える。
【００４５】
しかし、本実施形態の文字板１００は、グラデーションが和紙２０の、不規則に分布した透光部２２を通して観者に視認され、しかも、遮光部２１で遮光された反射光の一部も遮光部２１で複雑に反射して透光部２２から出射するため、複雑な濃淡が表現され、単調な平板的な印象を与えることがなく、濃淡による奥行き感（立体感）を与えることができる。
【００４６】
本実施形態の文字板１００は、反射板３０の表面３１に明度または色相が変化するグラデーション３５が形成されて、色の多彩な表現を得るものであるが、本発明に係る表示板は、反射板３０の表面３１にグラデーション３５が形成されたものに限定されるものではない。
【００４７】
図５は反射板３０の表面３１に、実施形態のグラデーション３５に代えて同じ大きさの複数の水玉模様３６が形成された変形例１を示す図４相当の平面図、図６は反射板３０の表面３１に、実施形態のグラデーション３５に代えて大きさの異なる複数の水玉模様３７が形成された変形例２を示す図４相当の平面図である。
【００４８】
また、図７は反射板３０の表面３１に、実施形態のグラデーション３５に代えて複数の格子模様３８を構成する複数の同じ太さの縦の線３８ａ及び複数の同じ太さの横の線３８ｂが形成された変形例３を示す図４相当の平面図、図８は反射板３０の表面３１に、実施形態のグラデーション３５に代えて複数の格子模様３９を構成する複数の同じ太さの縦の線３９ａ及び複数の太さの異なる横の線３９ｂが複数形成された変形例４を示す図４相当の平面図である。
【００４９】
本実施形態の文字板１００は、図５に示すように、反射板３０の表面３１に、グラデーション３５に代えて同じ大きさの複数の水玉模様３６が形成された変形例１や、図６に示すように、反射板３０の表面３１に、グラデーション３５に代えて大きさの異なる複数の水玉模様３７が形成された変形例２を適用することもできる。
【００５０】
また、本実施形態の文字板１００は、図７に示すように、反射板３０の表面３１に、グラデーション３５に代えて複数の格子模様３８を構成する複数の同じ太さの縦の線３８ａ及び複数の同じ太さの横の線３８ｂが形成された変形例３や、図８に示すように、反射板３０の表面３１に、グラデーション３５に代えて複数の格子模様３９を構成する複数の同じ太さの縦の線３９ａ及び複数の太さの異なる横の線３９ｂが複数形成された変形例４を適用することもできる。
【００５１】
このように構成された各変形例１〜４の文字板１００によっても、上述した実施形態の文字板１００と同様の作用、効果を得ることができる。なお、本発明に係る表示板は、反射部材の表面に、グラデーションのみ又は模様のみを形成したものに限らず、これらグラデーションと模様とを組み合わせて形成してもよい。
【００５２】
なお、本発明に係る表示板において、反射部材の表面にグラデーション又は模様を形成することには、反射部材の表面にグラデーション又は模様が直接形成されているものだけでなく、グラデーション又は模様が形成されているもの（例えば、透明なフィルムや板材）を反射部材の表面に積層することにより、反射部材の表面にグラデーション又は模様が形成されているのと同視できるものも含む。
【００５３】
なお、反射板３０の表面３１には、上述したグラデーション３５や模様（水玉模様３６，３７、格子模様３８，３９等）をインクジェット印刷で行うのに代えて、塗装やメッキでグラデーションや模様を形成してもよく、また、箔（金箔やプラチナ箔等）の細片やパール粉を表面３１に貼付することで、模様を形成してもよい。
【００５４】
このように、メッキや箔片を適用すると、和紙２０を通して、これらの輪郭をふんわりとした印象で表現できる。また、パール粉は、和紙２０を通してキラキラとした反射を垣間見ることができ、透明上板１０にパール粉を配合した場合とは異なった外観を得ることもできる。
【００５５】
＜表示板の製造方法＞
上述した実施形態の文字板１００は、例えば、以下の工程により製造される。
【００５６】
すなわち、例えば、Ａ４サイズの大きさの反射板３０に、基準位置用の穴を２個以上、例えば打ち抜き加工により形成する。
【００５７】
次いで、反射板３０の表面３１の、基準位置用の穴に基づいて特定された複数の位置にそれぞれ、例えばインクジェット印刷により、グラデーション３５を形成する。
【００５８】
表面３１のグラデーション３５が乾燥した後、表面３１に接着剤４０を塗布し、その上に、反射板３０に重なるＡ４サイズの大きさの和紙２０を重ねて、和紙２０を反射板３０に接着する。
【００５９】
次いで、グラデーション３５が形成された複数の位置に対応した、反射板３０と和紙２０とが接合した文字板１００の部分を、基準位置用の穴に基づいて、打ち抜き加工で切り出す。
【００６０】
これにより、Ａ４サイズの大きさの反射板３０及び和紙２０から、複数の表示板を製造することができる。
【００６１】
本実施形態の文字板１００は、装飾部材として和紙２０を適用したものであるが、本発明に係る表示板は、装飾部材として和紙を適用したものに限定されない。すなわち、本発明に係る表示板は、装飾部材として、和紙の他に、不織布や、繊維等を面状に織った麻や絹等の布や、多数の糸を板状に固めたものや、鳥の羽根や昆虫の透けた繊維質の羽根や、植物の微細な繊維質の葉脈なども適用することができる。
【００６２】
上述した実施形態や変形例の文字板１００は、ソーラセル５０を備えた腕時計の文字板に適用したものであるが、本発明に係る表示板は、ソーラセル５０を備えた腕時計に限定されず、標準時刻を担った電波やＧＰＳからの電波等を受信するアンテナを備えた腕時計の文字板に適用することもできる。
【００６３】
また、本実施形態の時計は、この文字板１００を搭載した、上述した腕時計等の時計であるが、本発明に係る時計は、ソーラセル５０もアンテナも備えないものであってもよい。
【００６４】
また、本発明に係る表示板は、腕時計の文字板に適用するものに限定されず、置時計や掛け時計、懐中時計等、各種の時計の文字板等に適用することができる。また、本発明に係る表示板は時計以外のものに適用することもできる。
【符号の説明】
【００６５】
１０    透明上板
２０    和紙（装飾部材の一例）
２１    遮光部
２２    透光部
２５，３１    表面
２６，３２    裏面
３０    反射板（反射部材の一例）
４０    接着剤
５０    ソーラセル
１００  文字板（表示板の一例）
【図１】
2020134271.tif 000003
【図２】
2020134271.tif 000004
【図３】
2020134271.tif 000005
【図４】
2020134271.tif 000006
【図５】
2020134271.tif 000007
【図６】
2020134271.tif 000008
【図７】
2020134271.tif 000009
【図８】
2020134271.tif 000010